(57)【要約】【課題】  応答速度が速く、動画を高画質で表示でき、且つ、圧縮静止画像データを伸長処理して静止画像を動画に重畳して表示できる画像表示装置を低コストで実現する。【解決手段】  画像メモリ制御回路１０２は、外部から静止画像を表示することを指示する静止画像表示信号が入力されたときには、画像メモリ１０２を伸長処理に使用するため、該伸長処理が終了するまでの間、Ａ／Ｄ変換回路１００から出力される１フレーム分のデジタル画像データの記憶に使用することを停止する。合成回路１０３は、静止画処理回路が復元したデジタル静止画像データとＡ／Ｄ変換回路から出力されるデジタル画像データを合成する。【選択図】        図１
2005331647.tif 000002
【特許請求の範囲】
【請求項１】
入力されるアナログ映像信号をデジタル画像データに変換するＡ／Ｄ変換回路と、前記Ａ／Ｄ変換回路から出力されるデジタル画像データを１フレーム分記憶する画像メモリと、前記Ａ／Ｄ変換回路から出力されるデジタル画像データと前記画像メモリに記憶されている１フレーム前のデジタル画像データとの大小比較を行う比較回路と、前記比較回路の比較結果と前記Ａ／Ｄ変換回路から出力されるデジタル画像データとに基づき階調データを生成して出力する階調データ生成回路とを備える画像データ処理装置において、
入力される圧縮画像静止データを伸長処理することにより、デジタル静止画像データを復元して保持する静止画処理回路と、
外部から静止画像を表示することを指示する静止画像表示信号が入力されたときに、前記画像メモリを前記伸長処理に使用するため、前記伸長処理が終了するまでの間、前記画像メモリを前記Ａ／Ｄ変換回路から出力されるデジタル画像データの記憶に使用することを停止する制御を行う画像メモリ制御回路と、
前記静止画像表示信号が入力されたときに、前記静止画処理回路が復元したデジタル静止画像データと前記Ａ／Ｄ変換回路から出力されるデジタル画像データを合成し、前記画像メモリと前記比較回路とに出力する合成回路と
を備えたことを特徴とする画像データ処理装置。
【請求項２】
前記階調データ生成回路は、前記比較回路の比較結果が、現在のデジタル画像データが前記画像メモリに記憶されている１フレーム前のデジタル画像データより大きいことを示している場合には最大の階調データを出力し、現在のデジタル画像データが前記画像メモリに記憶されている１フレーム前のデジタル画像データより小さいことを示している場合には最小の階調データを出力し、現在のデジタル画像データが前記画像メモリに記憶されている１フレーム前のデジタル画像データと等しいときには現在のデジタル画像データに対応する階調データを出力することを特徴とする請求項１に記載の画像データ処理装置。
【請求項３】
前記合成回路は、前記静止画処理回路が復元したデジタル静止画像データと前記Ａ／Ｄ変換回路から出力されるデジタル画像データとを合成して前記画像メモリと前記比較回路とに出力する動作、及び前記静止画処理回路が復元したデジタル静止画像データのみを前記画像メモリと前記比較回路とに出力する動作のいずれかを外部からの指示に応じて選択して行うことを特徴とする請求項１に記載の画像データ処理装置。
【請求項４】
前記階調データ生成回路は、階調データとともに、現在のデジタル画像データが前記画像メモリに記憶されている１フレーム前のデジタル画像データから変化しているか否かを表す階調変化信号を出力することを特徴とする請求項２に記載の画像データ処理装置。
【請求項５】
請求項１から４のいずれか一項に記載の画像データ処理装置と、前記画像データ処理装置から出力される階調データに応じた画像を形成する液晶パネルとを含む画像表示装置。
【発明の詳細な説明】
【技術分野】
【０００１】
本発明は、液晶パネルを有する画像表示装置、及びこのような画像表示装置に用いられる画像データ処理装置に関する。
【背景技術】
【０００２】
液晶パネルを有する画像表示装置は、階調データに応じた電圧を各液晶セルの電極間に印加することにより、光の透過率を液晶セル毎に制御し、画像を形成する。しかし、液晶パネルはその累積応答効果により応答速度が比較的遅いので、動画を表示するためには応答速度を改善する必要がある。
そのため、例えば、現在の画像データと画像メモリに記憶した１フレーム前の画像データとを比較し、値に変化がある場合は、液晶パネルに現在の画像データに対応する階調データに代えて、最大階調データまたは最小階調データを出力すると共に、液晶駆動電圧を高い電圧に切り換えるようにしたものもある（例えば特許文献１参照）。このようにすることにより、入力画像データに変化があった場合には、液晶セルに印加される電圧が大きく変化するので光の透過率の変化速度、即ち応答速度が速くなり、動画を高画質で表示することが可能となる。
圧縮静止画像データを伸長処理する機能を上記のような画像表示装置に追加すれば、例えばＪＰＥＧ規格の圧縮静止画像データを入力し、伸長処理を行って元の静止画像データを復元し、静止画像を動画に重畳させて表示することも可能となる。
【０００３】
【特許文献１】特開平６−１８９２３２号公報
【発明の開示】
【発明が解決しようとする課題】
【０００４】
しかしながらそのためには、１フレーム前の画像データを記憶するための画像メモリに加え、圧縮データを伸張する処理を行うために使用する画像メモリがさらに必要となるので、コスト高になるという問題がある。
本発明はこのような問題を解消するためになされたものであり、応答速度が速く、動画を高画質で表示でき、且つ、圧縮静止画像データを伸長処理し、伸長した静止画像を動画に重畳して表示できる画像表示装置を低コストで実現することを目的とする。
【課題を解決するための手段】
【０００５】
本発明は、
入力されるアナログ映像信号をデジタル画像データに変換するＡ／Ｄ変換回路と、前記Ａ／Ｄ変換回路から出力されるデジタル画像データを１フレーム分記憶する画像メモリと、前記Ａ／Ｄ変換回路から出力されるデジタル画像データと前記画像メモリに記憶されている１フレーム前のデジタル画像データとの大小比較を行う比較回路と、前記比較回路の比較結果と前記Ａ／Ｄ変換回路から出力されるデジタル画像データとに基づき階調データを生成して出力する階調データ生成回路とを備える画像データ処理装置において、
入力される圧縮画像静止データを伸長処理することにより、デジタル静止画像データを復元して保持する静止画処理回路と、
外部から静止画像を表示することを指示する静止画像表示信号が入力されたときに、前記画像メモリを前記伸長処理に使用するため、前記伸長処理が終了するまでの間、前記画像メモリを前記Ａ／Ｄ変換回路から出力されるデジタル画像データの記憶に使用することを停止する制御を行う画像メモリ制御回路と、
前記静止画像表示信号が入力されたときに、前記静止画処理回路が復元したデジタル静止画像データと前記Ａ／Ｄ変換回路から出力されるデジタル画像データを合成し、前記画像メモリと前記比較回路とに出力する合成回路と
を備えたことを特徴とする。
【発明の効果】
【０００６】
本発明によれば、応答速度が速く動画を高画質で表示でき、且つ、圧縮静止画像データを処理して静止画像を表示できる画像表示装置のメモリ容量を低減することができ、従ってこのような画像表示装置を低コストで提供することが可能となる。
【発明を実施するための最良の形態】
【０００７】
図１を参照して本発明の画像表示装置の一実施形態を説明する。同図に示すように、この画像表示装置は画像信号処理装置１０と液晶パネル２０から構成される。画像データ処理装置１０は、アナログ映像信号入力端子１１、圧縮静止画像データ入力端子１２、静止画表示指示信号入力端子１３、Ａ／Ｄ（アナログ／デジタル）変換回路１００、静止画処理回路１０１、画像メモリ１０２、合成回路１０３、画像メモリ制御回路１０４、比較回路１０５、階調データ生成回路１０６を含む。
【０００８】
Ａ／Ｄ変換回路１００は、アナログ映像信号入力端子１１から入力するアナログ映像信号を所定周波数のクロックに同期してサンプリングすることにより、デジタル画像データに変換し、合成回路１０３に出力する。静止画処理回路１０１は、圧縮静止画像データ入力端子１２から入力される、例えばＪＰＥＧ規格の圧縮静止画像データを伸長処理し、元の静止画像データを復元する。以下に、上記画像表示装置の動作を説明する。
【０００９】
静止画表示指示信号入力端子１３に静止画表示指示信号が入力されないときは、Ａ／Ｄ変換回路１００はアナログ映像信号入力端子１１から入力するアナログ映像信号を所定周波数のクロックに同期してサンプリングし、デジタル画像データに変換する。変換されたデジタル画像データは合成回路１０３を介してメモリ制御回路１０４に送られる。メモリ制御回路１０４はこのデジタル画像データを画像メモリ１０２と比較回路１０５に送る。画像メモリ１０２はデジタル画像データを１フレーム分記憶する。
【００１０】
比較回路１０５は、合成回路１０３から出力される現在のデジタル画像データＤＡと画像メモリ１０２から読み出し、１フレーム前のデジタル画像データＤＢとを比較し、それらの大小関係を示す情報を液晶パネル駆動回路１０６に送る。階調データ生成回路１０６は、比較回路１０５から送られる情報と、現在のデジタル画像データＤＡとから階調データを生成して液晶パネル２０に出力する。
【００１１】
図２を参照して階調データ生成回路１０６の動作を説明する。同図に示すように、現在のデジタル画像データＤＡが１フレーム前のデジタル画像データＤＢと同じ場合（ＤＡ＝ＤＢ）には、階調データ生成回路１０６は液晶パネル２０に対し、階調変化信号として「０」を出力し、階調データとして、現在のデジタル画像データに対応する階調データＧＡを出力する。
現在のデジタル画像データＤＡが１フレーム前のデジタル画像データＤＢより大きい場合（ＤＡ＞ＤＢ）には、階調データ生成回路１０６は液晶パネル２０に対し、階調変化信号として「１」を出力し、また、階調データとして最大階調データＧＭＡＸを出力する。
現在のデジタル画像データＤＡが１フレーム前のデジタル画像データＤＢより小さい場合（ＤＡ＜ＤＢ）には、階調データ生成回路１０６は液晶パネル２０に対し、階調変化信号として「１」を出力し、また、階調データとして最小階調データ（ＧＭＩＮ）を出力する。
【００１２】
液晶パネル２０の各液晶セルは、所定の値の電圧が印加されるコモン電極と階調データに応じた値の電圧が印加されるセグメント電極との間の電圧差に応じた透過率を示す。
液晶パネル２０は、内部の駆動回路によりセグメント電極に印加する電圧を階調データ生成回路１０６から出力される階調データに応じた値に設定することにより、画像を形成する。本実施形態では、階調変化信号が「１」であり、階調データとしてＧＭＡＸが出力されたときは、セグメント電極に印加する電圧とコモン電極に印加する電圧とを逆位相に設定する。また、階調変化信号が「１」であり、階調データとしてＧＭＩＮが出力されたときは、セグメント電極に印加する電圧とコモン電極に印加する電圧とを同位相に設定する。
また、階調変化信号が「１」であるときは、セグメント電極に印加する電圧を通常の値より大きい値に設定する。
従って、階調データが１フレーム前と比べて大きくなったときは液晶セルのコモン電極とセグメント電極の間に印加される電圧は通常よりも大きな値となり、一方、階調データが１フレーム前と比べて小さくなったときは液晶セルのコモン電極とセグメント電極の間に印加される電圧は通常よりも小さな値となる。
従って、現在のデジタル画像データが１フレーム前のデジタル画像データと異なる場合には、液晶セルのコモン電極とセグメント電極との間に大きな電圧が印加されるので、光の透過率の変化速度、即ち応答速度が速くなり、動画を高画質で表示することができる。
【００１３】
一方、静止画表示指示信号入力端子１３から静止画表示指示信号が入力されたときには、メモリ制御回路１０４は、Ａ／Ｄ変換回路１００から出力されるデジタル画像データの画像メモリ１０２への転送を停止することにより、画像メモリ１０２をＡ／Ｄ変換回路１００から出力されるデジタル画像データの記憶に使用することを停止し、画像メモリ１０２を静止画処理回路１０１が圧縮静止画像データ入力端子１２から入力される圧縮静止画像の伸長処理に使用できるようにする。静止画処理回路１０１は画像メモリ１０２を使用して圧縮静止画像の伸長処理を行い、復元されたデジタル静止画像データを内部に保持する。
【００１４】
伸長処理の終了後、メモリ制御回路１０４はＡ／Ｄ変換回路１００が出力するデジタル画像データの画像メモリ１０２への転送を再開させる。このとき、合成回路１０３はＡ／Ｄ変換回路１００から出力されるデジタル画像データと静止画処理回路１０１から出力されるデジタル静止画像データとを合成してメモリ制御回路１０４に送る。以降の動作は、図２を参照して上に説明した動作と同様であるので説明は省略するが、合成回路１０３はＡ／Ｄ変換回路１００から出力されるデジタル画像データと静止画処理回路から出力されるデジタル静止画像データとを合成することにより、静止画像が動画に重畳されて表示される。
【００１５】
以上の構成により、応答速度が速く動画を高画質で表示でき、且つ、圧縮静止画像データを処理して静止画像を表示できる画像表示装置のメモリ容量を低減することができ、従って低コストで提供することが可能となる。
尚、合成回路１０３は、Ａ／Ｄ変換回路１００が出力するデジタル画像データと静止画処理回路１０１が出力するデジタル静止画像データの合成を行って画像メモリ１０２と比較回路１０５に出力する動作と、静止画処理回路１０１から出力されるデジタル静止画像データのみを画像メモリ１０２と比較回路１０５に出力表示する動作を外部からの指示に応じて選択して行うものであっても良い。また、階調データ生成回路は、階調変化信号を生成せず、階調データのみを出力して液晶パネルに供給するものであってもよい。
【図面の簡単な説明】
【００１６】
【図１】本発明の画像表示装置の構成図である。
【図２】図１の画像表示装置の液晶パネル駆動回路の動作を説明する図である。
【符号の説明】
【００１７】
１０  画像データ処理装置、  ２０  液晶パネル、  １１  アナログ映像信号入力端子、  １２  圧縮静止画像データ入力端子、  １３  静止画像表示指示信号入力端子、  １００  Ａ／Ｄ変換回路、  １０１  静止画処理回路、  １０２  画像メモリ、  １０３  合成回路、  １０４  メモリ制御回路、  １０５  比較回路、  １０６  階調データ生成回路。
【図１】
2005331647.tif 000003
【図２】
2005331647.tif 000004